(57)【要約】【課題】冷媒容器の取付作業が楽で、防振支持も実現できる圧縮機配管の冷媒容器固定装置を提供する。【解決手段】垂直姿勢にしたアキュームレータ９の外周に、環状部２１の１箇所に切れ目２２を有する固定バンド２０を嵌合してアキュームレータ９と固定バンド２０を締め付け関係に置き、固定バンド２０の切れ目２２から放射方向に突き出す延長部２３を、空気調和機室外機の天板３から垂下する取付板１０に固定する。アキュームレータ９の外周には下向きの段差９ａが形成されており、この段差９ａに固定バンド２０の上縁が当接する。アキュームレータ９と固定バンド２０の間には吸振材３０が挟み込まれる。【選択図】図３
2008292062.tif 000002
【特許請求の範囲】
【請求項１】
圧縮機の冷媒配管内に配置される筒型の冷媒容器を固定するに際し、垂直姿勢にした前記冷媒容器の外周に、環状部の１箇所に切れ目を有する固定バンドを嵌合して当該冷媒容器と固定バンドを締め付け関係に置き、前記固定バンドの切れ目から放射方向に突き出す延長部を、機器の天板から垂下する取付板に固定することを特徴とする圧縮機配管の冷媒容器固定装置。
【請求項２】
前記冷媒容器の外周には下向きの段差が形成されており、前記段差に前記固定バンドの上縁を当接させたことを特徴とする請求項１に記載の圧縮機配管の冷媒容器固定装置。
【請求項３】
前記冷媒容器と前記固定バンドの間に吸振材が挟み込まれることを特徴とする請求項１または２に記載の圧縮機配管の冷媒容器固定装置。
【請求項４】
前記天板への前記冷媒容器の取り付けは、前記天板を機器ハウジングに組み付ける前の段階で行われることを特徴とする請求項１から３のいずれか１項に記載の圧縮機配管の冷媒容器固定装置。
【発明の詳細な説明】
【技術分野】
【０００１】
空気調和機の室外機など、冷媒の圧縮機を備えた機器では、圧縮機の冷媒配管内にアキュームレータやレシーバといった冷媒容器が配置される。本発明は、かかる冷媒容器の固定装置に関する。
【背景技術】
【０００２】
冷媒容器の固定についてはこれまでにも様々な提案がなされており、その例を特許文献１−３に見ることができる。特許文献１には、底板にアキュームレータ固定台を介してアキュームレータの下端を固定し、熱交換器の端部金具に基端を固定したＬ字状のアキュームレータ固定板にアキュームレータの上部外周を固定する構造が開示されている。特許文献２には支持ブラケットを介してアキュームレータを機器ベースに固定する構造が開示されている。特許文献３には空気調和機の室外機内の仕切板にアキュームレータ固定バンドでアキュームレータを固定する構造が開示されている。
【特許文献１】実開平４−９５２２９号公報
【特許文献２】特開平６−１１７７２９号公報
【特許文献３】実公昭６０−１１３４６６号公報
【発明の開示】
【発明が解決しようとする課題】
【０００３】
特許文献１−３に記載された冷媒容器固定構造には次のような問題がある。まず特許文献１記載のものは、アキュームレータ固定台にアキュームレータを載置する構成であるため、下端から配管が導出されるタイプのアキュームレータには使いづらい。また、アキュームレータ固定台は機器の底板上に設置されるのであるが、底板の上はかなりの部分が圧縮機や圧縮機に巻く吸音材で占拠されていて、アキュームレータ固定台の設置スペースは狭く、冷媒容器取付作業の作業性が悪い。特許文献２記載のものはアキュームレータの一点が支持ブラケットに接しているだけであり、振動対策が十分でない。特許文献３記載のものは、アキュームレータを固定するのが空気調和機の室外機内の仕切板であるため、アキュームレータを自由に移動させることができない。
【０００４】
本発明は上記の点に鑑みなされたものであり、冷媒容器の取付作業が楽で、防振支持も実現できる圧縮機配管の冷媒容器固定装置を提供することを目的とする。
【課題を解決するための手段】
【０００５】
（１）上記目的を達成するために本発明は、圧縮機の冷媒配管内に配置される筒型の冷媒容器を固定するに際し、垂直姿勢にした前記冷媒容器の外周に、環状部の１箇所に切れ目を有する固定バンドを嵌合して当該冷媒容器と固定バンドを締め付け関係に置き、前記固定バンドの切れ目から放射方向に突き出す延長部を、機器の天板から垂下する取付板に固定することを特徴としている。
【０００６】
この構成によると、様々な構成要素が置かれる機器の底板でなく、空間的にゆとりのある機器の天板に冷媒容器を取り付けるので、冷媒容器の配置を設計するのも、実際に取付作業を行うのも、容易である。冷媒容器は固定バンドで締め付けられた状態で取り付けられるので、がたつきなく取り付けることができ、振動が防止される。また取付板の位置は自由に決めることができ、冷媒容器の設置場所を設定する上での自由度が高い。
【０００７】
（２）また、上記構成の圧縮機配管の冷媒容器固定装置において、前記冷媒容器の外周に下向きの段差を形成し、前記段差に前記固定バンドの上縁を当接させることが好ましい。
【０００８】
このような構成にすれば、段差に固定バンドが係合して冷媒容器の落下を阻止するので、固定バンドの締め付けが少々緩んだとしても、冷媒容器は所定位置に保持される。
【０００９】
（３）また、上記構成の圧縮機配管の冷媒容器固定装置において、前記冷媒容器と前記固定バンドの間に吸振材を挟み込むことが好ましい。
【００１０】
このような構成にすれば、圧縮機から冷媒容器に伝播する振動が取付板に、ひいては天板に伝わりにくくなり、騒音を抑えることができる。
【００１１】
（４）また、上記構成の圧縮機配管の冷媒容器固定装置において、前記天板への前記冷媒容器の取り付けは、前記天板を機器ハウジングに組み付ける前の段階で行うことが好ましい。
【００１２】
このような構成にすれば、天板への冷媒容器取り付けが開放空間で行われるので、作業性が良い。
【発明の効果】
【００１３】
本発明によると、冷媒容器を、それが下端から配管が導出されるタイプのものであっても、機器内に容易に配置及び固定することができる。また冷媒容器の防振支持も可能となる。
【発明を実施するための最良の形態】
【００１４】
以下本発明の実施形態を図１−５に基づき説明する。図１は空気調和機室外機の一部の部品の斜視図、図２はアキュームレータが固定バンドと取付板により支持されている状況を示す斜視図、図３は取付状態のアキュームレータの側面図、図４は取付板の斜視図、図５は固定バンドの斜視図である。
【００１５】
空気調和機の室外機は、底板１に複数の側板２（図１にはその一部のみ仮想線で表示する）を組み合わせ、また天板３を組み合わせ、１個のハウジングを構成する。ハウジングの内部は垂直な仕切板４により圧縮機室５と熱交換器室６に区画される。圧縮機室５には圧縮機７が設置され、熱交換器室６には熱交換器８が設置される。圧縮機６の冷媒配管内には筒型のアキュームレータ９が配置される。アキュームレータ９は軸線を垂直にして配置され、上下端から冷媒配管Ｐ１、Ｐ２（図３参照）が導出される。アキュームレータ９は以下に説明するやり方で天板３に固定される。
【００１６】
アキュームレータ９の固定には取付板１０と固定バンド２０を用いる。固定バンド２０は図５に示すように全体が略Ω形状であって、金属または合成樹脂の薄板を曲げてアキュームレータ９の外周を取り巻く環状部２１を形成したうえ、環状部２１の１箇所に切れ目２２を形成し、その切れ目２２から放射方向に延長部２３を突き出させたものである。延長部２３は切れ目２２の両側に１個ずつ、計２個存在し、互いに平行関係にある。各延長部２３の端にはビス通し穴２４が形成されている。
【００１７】
取付板１０は図４に示すように金属板をＬ形状にプレス加工したものであり、Ｌ形状の短辺１１を天板３の下面にあてがう形で天板３に固定される。短辺１１の中央と、長辺１２の下端にはビス通し穴１３、１４が形成されている。
【００１８】
アキュームレータ９の外周には、下向きの段差９ａ（図３参照）が形成される。図示実施形態では、垂直姿勢にしたアキュームレータ９の上端近くに形成された径大部９ｂの下面が段差９ａを構成する。
【００１９】
アキュームレータ９の取付手順は次の通りである。まず段差９ａの首下部分に帯状の吸振材３０（図３参照）を巻く。吸振材３０は軟質合成樹脂、ゴム、フェルト等の素材からなる。次いで、２個の延長部２３の間隔を広げて環状部２１の内径を拡大した固定バンド２０をアキュームレータ９に下方から嵌合して上方にずらし、環状部２１の上縁が段差９ａに当接して、段差９ａと固定バンド２０の間に上下方向の係合が生じたところで固定バンド２０から手を離す。すると環状部２１がスプリングバックで縮み、アキュームレータ９との間に吸振材３０を挟み込む。固定バンド２０はアキュームレータ９に嵌合し、吸振材３０を介してアキュームレータ９を軽く締め付ける形になる。アキュームレータ９の外径、吸振材３０の厚みと弾力性、及び環状部２１の内径と復元力などの値を調整し、延長部２３同士の間隔が、アキュームレータ９に嵌合する前より少し広がった状態になるようにしておく。
【００２０】
延長部２３同士の間隙に取付板１０の長辺１２を入れ、延長部２３のビス通し穴２４（２個）と、長辺１２のビス通し穴１４を整列させる。そしてこれらのビス通し穴にビス１５（図３参照）を通し、ビス１５の先端に図示しないナットを螺合させてビス１５をしっかりと締め付ける。
【００２１】
ビス１５を締め付けると、固定バンド２０と取付板１０が固定されると同時に、今まで広がっていた延長部２３同士の間隔が狭まって環状部２１の内径が縮み、アキュームレータ９はしっかりと締め付けられる。
【００２２】
ビス１５を締め付ける際、固定バンド２０と取付板１０が直角に保たれるようにする。直角を保つための凹凸係合部を固定バンド２０と取付板１０の間に設けておくとよい。
【００２３】
上記のようにしてアキュームレータ９に固定バンド２０と取付板１０を組み合わせた後、取付板１０の短辺１１を、ハウジングに組み付ける前の天板３の下面にあてがい、図示しないビスとナットで天板３と取付板１０を締付固定する。これにより、取付板１０は天板３から垂下する形になる。この天板３を空気調和機室外機のハウジングに組み付けることによりアキュームレータ９の取り付けは完了する。天板３にアキュームレータ９を取り付ける作業を開放空間で行うことができるので、作業性が良い。
【００２４】
取り付け状態において、アキュームレータ９は重力でずり落ちようとするが、段差９ａと固定バンド２０との間に上下方向の係合が生じているので、ずり落ちることなくその高さにとどまる。従って冷媒配管Ｐ１、Ｐ２の重量負担が増大したり、配管形状に変化が生じたりすることはない。製品輸送時の振動に耐えられるようにする上で、この構造は非常に有利である。なお実施形態ではアキュームレータ９に形成された径大部９ｂの下面が段差９ａを構成するものとしたが、円周上に適宜間隔で突起を配置し、この突起の下面で段差を形成することもできる。
【００２５】
アキュームレータ９と固定バンド２０の間には吸振材３０が挟み込まれているので、圧縮機７からアキュームレータ９に伝播する振動や、輸送時の振動が取付板１０に、ひいては天板３に伝わりにくくなり、騒音を抑えることができる。またアキュームレータ９の重量を取付板１０が支えるので、アキュームレータ９に連結された冷媒配管の重量負担も軽減される。
【００２６】
本明細書では冷媒容器としてアキュームレータを取り上げたが、レシーバにも本発明を適用できることは言うまでもない。
【００２７】
以上、本発明の実施形態につき説明したが、本発明の範囲はこれに限定されるものではなく、発明の主旨を逸脱しない範囲で種々の変更を加えて実施することができる。
【産業上の利用可能性】
【００２８】
本発明は冷媒の圧縮機を備えた機器に広く利用可能である。
【図面の簡単な説明】
【００２９】
【図１】空気調和機室外機の一部の部品の斜視図
【図２】アキュームレータが固定バンドと取付板により支持されている状況を示す斜視図
【図３】取付状態のアキュームレータの側面図
【図４】取付板の斜視図
【図５】固定バンドの斜視図
【符号の説明】
【００３０】
１    底板
３    天板
７    圧縮機
８    熱交換器
９    アキュームレータ
９ａ  段差
１０  取付板
２０  固定バンド
２１  環状部
２２  切れ目
２３  延長部
３０  吸振材
【図１】
2008292062.tif 000003
【図２】
2008292062.tif 000004
【図３】
2008292062.tif 000005
【図４】
2008292062.tif 000006
【図５】
2008292062.tif 000007